(57)【要約】【課題】ハンダ付け処理をしなくとも回路基板に端子板の導出端部分を圧入するだけで容易確実に取り付けることができる端子板付き電池を提供する。【解決手段】電池本体２と、回路基板５に設けた導電部６と、電池本体２と回路基板５の導電部６との間を電気的に接続するための端子板７とを備えている。端子板７は、電池本体２側につながる基端部と、電池本体２から導出されて導電部６に接続される導出端部分９とを含む。回路基板５の導電部６は、スルーホール１３を含む。端子板７の導出端部分９は、スルーホール１３内の導電部６に接触する接触片１１と、スルーホール１３内に圧入されて導出端部分９を回路基板５に固定するための係合片１２とを有する。【選択図】        図１
2004319423.tif 000002
【特許請求の範囲】
【請求項１】
電池本体と、
回路基板の導電部に、前記電池本体を電気的に接続するための端子板とを備えており、
前記端子板は、前記電池本体側につながる基端部と、前記電池本体から導出されて前記導電部に設けたスルーホールに圧入される導出端部分とを含み、
前記導出端部分に、前記スルーホール内に臨む前記導電部に接触する接触片を有し、
前記導出端部分を前記スルーホールに圧入したとき、前記接触片が弾性変形を受けて、その弾性復元力で前記導電部に圧接している端子板付き電池。
【請求項２】
電池本体と、
回路基板の導電部に、前記電池本体を電気的に接続するための端子板とを備えており、
前記端子板は、前記電池本体側につながる基端部と、前記電池本体から導出されて前記導電部に設けたスルーホールに圧入される導出端部分とを含み、
前記導出端部分が、前記導電部に接触する接触片と、前記スルーホールに抜け止め状に係合する係合片とを含む端子板付き電池。
【請求項３】
一つの前記電池本体に二つの前記端子板を備えており、
前記回路基板上に前記電池本体を配置した状態において、前記端子板は、前記電池本体の上下面の負極と正極とにそれぞれ溶接固定されて水平方向に延びる水平腕と、前記水平腕の延出端から下向きに折り曲げられた前記導出端部分とを有する請求項１または２記載の端子板付き電池。
【請求項４】
前記導出端部分に前記接触片が、前記導出端部分の前後厚み方向に突出するよう弾性変形可能に打ち出し形成されており、
前記接触片は、前記スルーホールに弾性変形を受けた状態で圧入されて、前記接触片がこれ自体の弾性復元力で前記スルーホールに臨む導電部に圧接している請求項３記載の端子板付き電池。
【請求項５】
前記接触片が、上下縦長に形成されている請求項４記載の端子板付き電池。
【請求項６】
前記接触片の上下端が、前記導出端部分に両持ち梁状につながっている請求項５記載の端子板付き電池。
【請求項７】
前記導出端部分に、前記係合片が前記導出端部分の前後厚み方向に突出するよう弾性変形可能に切り起こし形成されており、
前記係合片は、これの下端が前記導出端部分の下端につながっていて、上面側が前記導出端部分から離れる向きに自由状態で突出しており、
前記係合片は、これ自体が弾性変形することで前記スルーホールにこれの上方から圧入可能であり、
前記スルーホールに前記導出端部分を完全に圧入した状態において、前記係合片の上端が、前記スルーホールの下端の開口周縁に受け止められる請求項２または３または４記載の端子板付き電池。
【請求項８】
前記導出端部分の幅方向の左右に、上下縦長の前記接触片が形成されており、
前記導出端部分には、左右の前記接触片間の下方に上下縦長の前記係合片が形成されている請求項７記載の端子板付き電池。
【請求項９】
前記導出端部分の下端に、前記係合片が上方に向けて折り返し形成されており、
前記スルーホールに導出端部分を完全に圧入した状態において、前記係合片の上端が、前記スルーホールの下端の開口周縁に受け止められる請求項３または４記載の端子板付き電池。
【請求項１０】
前記スルーホールの下端の開口周縁には、前記導電部が張り出し形成されており、
前記導電部の張り出し部分に、前記係合片の上端が受け止められている請求項７または９記載の端子板付き電池。
【請求項１１】
前記導出端部分には、これの前後厚み方向の一方に前記接触片が、他方に前記係合片１２がそれぞれ突出している請求項７または９記載の端子板付き電池。
【請求項１２】
前記導出端部分の左右幅方向の両端に、前記スルーホールの上端の開口周縁に受け止められるストッパー縁が形成されている請求項１記載の端子板付き電池。
【請求項１３】
前記接触片が、前記導出端部分の前後厚み方向の一方に打ち出し形成されて前後厚み方向に弾性変形可能な中央のばね板部と、中央の前記ばね板部の左右幅方向の両外側において前記導出端部分の前後厚み方向の他方に打ち出し形成されて前後厚み方向に弾性変形可能な左右のばね板部とを含む請求項４記載の端子板付き電池。
【請求項１４】
前記導出端部分が、左右幅方向の中央に配された前記接触片と、前記接触片の左右幅方向の両外側に配された前記係合片とを含み、
前記係合片が、左右幅方向に弾性変形可能であり、
前記係合片が、前記スルーホールに弾性変形を受けた状態で差し込まれており、
前記各係合片が、これ自体の弾性復元力で前記スルーホールに対して上下方向へは抜け止め状に係合している請求項３記載の端子板付き電池。
【請求項１５】
前記係合片が、前記スルーホールに臨む前記導電部に接触している請求項１４記載の端子板付き電池。
【請求項１６】
前記係合片が、下方に向けて片持ち状に連出されており、
前記係合片の下端に、前記スルーホールの下端の開口周縁に引っ掛かる係止部が形成されている請求項１４又は１５記載の端子板付き電池。
【請求項１７】
電池本体と、該電池本体を回路基板の導電部に電気的に接続するための二つの端子板とからなり、一方の前記端子板の前記導出端部分が、前記回路基板に対して前記電池本体を固定する端子板付き電池であって、
一方の前記端子板の前記導出端部分が、前記回路基板をその表裏両面側から挟持する挟持部を備えており、
一方の前記挟持部に、前記回路基板の前記導電部と接触する接触部が設けられていることを特徴とする端子板付き電池。
【請求項１８】
前記導出端部分の他方の挟持部には、前記回路基板に係合することにより、前記回路基板に対する前記電池本体の位置決めを図る係合部が設けられている請求項１７記載の端子板付き電池。
【請求項１９】
電池本体と、該電池本体を回路基板の導電部に電気的に接続するための端子板とからなる端子板付き電池であって、
前記端子板は、前記回路基板の前記導電部と接触して導電接続される接触部を有し、
前記接触部には、貫通孔または切り欠きが設けられており、
前記貫通孔または前記切り欠きに挿通されるリベットにより、前記回路基板に前記端子板が固定されていることを特徴とする端子板付き電池。
【発明の詳細な説明】
【０００１】
【発明の属する技術分野】
本発明は、端子板付き電池に関する。さらに詳しくは、ハンダ付け処理をしなくとも電子機器等の回路基板に取り付け可能な端子板付き電池に関する。
【０００２】
【従来の技術】
ボタン形やコイン形などの扁平形の電池、あるいは、角形、円筒形などの電池は、アルカリ乾電池、リチウム電池、リチウム二次電池、アルカリ蓄電池に代表される一次電池、二次電池のいずれも、各種電子機器の主電源やメモリーバックアップ電源として広く用いられている。
【０００３】
上記電池を電子機器の回路基板に実装するにあたり、製造工程の効率化のために、回路基板へのハンダ付けを可能にする端子板を電池に接続し、他の電子部品と共に、リフロー炉を用いて回路基板にハンダ付けすることが考えられている。
【０００４】
ところが、リフロー炉の通過の際に電池が加熱され、短時間ではあるが、電池の温度が例えば１５０℃を越える高温に達するため、電池の構成部材に物理的変化あるいは化学的変化が生じ、電池の密閉性の低下、放電特性の低下、内部短絡、サイクル特性の低下などの問題を生じる。一方、電池を保護するために、他の電子部品とは別に電池のみ手作業でハンダ付けを行うと、作業効率が大幅に低下するため、リフロー炉を通過させても電池特性などに悪影響のない耐熱性の高い電池が求められていた。特に、融点が低い金属リチウムを負極に用い、揮発性の高い有機溶媒を電解液溶媒としたリチウム電池では、耐熱化のための技術開発が強く要望されていた。
【０００５】
このような要望に対し、耐熱性の高いパッキングを用いたり、高温での貯蔵性を向上させる添加剤を用いた電池が提案されている（特許文献１および２参照）。これによれば、電池の耐熱性が高まり、リフロー炉の通過に支障のない電池が得られる。
【０００６】
一方、ハンダ付けによる電池の固定をやめ、電池本体とこれに取り付けた端子板とで回路基板を挟み込むことにより、回路基板上に電池を固定し、電池の交換保守を容易にした電池の実装構造も提案されている（特許文献３参照）。この形式によれば、ハンダ付けなしでの電池の実装が可能となる。
【０００７】
【特許文献１】
特開平８−１５３５００号公報（段落番号０００２−０００８）
【特許文献２】
特開２０００−３２３１７１号公報（段落番号０００５−０００７）
【特許文献３】
特開平１０−６４４９０号公報（段落番号０００２−０００５）
【０００８】
【発明が解決しようとする課題】
しかしながら、電池そのものに耐熱性を付与する形態では、リフロー炉の通過に対応させるために電池のパッキングを耐熱性の高い材料にすると、汎用のポリオレフィンなどの材料に比べて材料コストが大幅にアップする。また、電解液に添加剤を含有させた場合は、程度の差がありこそすれ放電特性の低下を来すため、使用可能な電子機器が限定される。添加剤を加えたとしても、他の構成部材まで同様に耐熱性の高い材料を用いる必要があるため、やはり大幅なコストアップを招く。そもそも、回路基板との導通接続のためにハンダを用いることは、ハンダに含まれる鉛の環境への影響の問題もあり、環境保護の観点からハンダ使用量の低減化が求められている現状において好ましくない。
【０００９】
一方、電池本体とこれに取り付けた端子板とで回路基板を挟み込む実装構造によるときは、電池の外装体と回路基板の導電部とを直に接触させるため、実装時の電池の配置構成が限定され、電子機器の薄型化や回路の省スペース化などの点でネックになる。そのほか、振動による接触不良も生じやすく、信頼性の点でも問題が出る。
【００１０】
そこで本発明の目的は、電子機器等の回路基板に電池を実装する際の上記問題点を解決し、ハンダ付け処理をしなくとも、電池本体から導出した端子板の導出端部分を回路基板の導電部に圧入するだけで簡単かつ確実に取り付けられる端子板付き電池を提供することにある。
【００１１】
【課題を解決するための手段】
本発明の端子板付き電池は、図１ないし図４に示すごとく、電池本体２と、回路基板５の導電部６に電池本体２を電気的に接続するための端子板７とを備えている。端子板７は、電池本体２側につながる基端部と、電池本体２から導出されて導電部６に設けたスルーホール１３に圧入される導出端部分９とを含む。
【００１２】
本発明は、かかる端子板付き電池において、前記導出端部分９に、スルーホール１３内に臨む前記導電部６に接触する接触片１１を有し、導出端部分９をスルーホール１３に圧入したとき、接触片１１が弾性変形を受けて、その弾性復元力で導電部６に圧接するようにしたことを特徴とする（請求項１）。これによれば、スルーホール１３に導出端部分９を圧入するだけで、スルーホール１３内の導電部６に接触片１１が圧接することにより、導通性が図られるとともに、該当の圧接力で導出端部分９を回路基板５の導電部６に確りと抜け止め状に支持固定できる。
【００１３】
また、本発明は、図１ないし図４に示すごとく、上記形態の端子板付き電池において、前記導出端部分９が、前記導電部６に接触する接触片１１と、前記スルーホール１３に抜け止め状に係合する係合片１２とを備えていることを特徴とする（請求項２）。これによれば、接触片１１が導出端部分９と導電部６との導通性を図る役割をし、係合片１２がスルーホール１３に導出端部分９を確りと支持固定する役割を担う。この場合の接触片１１は必ずしもスルーホール１３内に圧入されることを要しない。
【００１４】
電池本体２としては、ボタン形やコイン形などの扁平形の電池が用いて好適である。一つの電池本体２には二つの端子板７・７を備えており、回路基板５上に電池本体２を配置した状態において、各端子板７が、電池本体２の上下面の負極と正極とにそれぞれ溶接固定されて水平方向に延びる水平腕８と、水平腕８の延出端から下向きに折り曲げられた導出端部分９とを有する（請求項３）。
【００１５】
そのうえで、端子板７の導出端部分９には、接触片１１が導出端部分９の前後厚み方向に突出するよう弾性変形可能に打ち出し形成されており、この接触片１１は、スルーホール１３に弾性変形を受けた状態で圧入され、接触片１１がこれ自体の弾性復元力でスルーホール１３に臨む導電部６に圧接している（請求項４）。このように、接触片１１が弾性復元力で導電部６に圧接していると、接触片１１と導電部６との導通性が良好に確保され、かつ回路基板５に電池本体２をガタつくことなく安定的に支持固定できることになる。
【００１６】
接触片１１は、上下縦長に形成し（請求項５）、そのうえで上下端が前記導出端部分９に両持ち梁状につながる形態を採ることができる（請求項６）。このように、接触片１１が両持ち梁状に形成されていると、接触片１１の弾性復元力、ひいてはスルーホール１３内の導電部６に対する圧接力を有効に確保できることになる。
【００１７】
更に具体的には、前記導出端部分９に、係合片１２が導出端部分９の前後厚み方向に突出するよう弾性変形可能に切り起こし形成されており、係合片１２は、これの下端が導出端部分９の下端につながっていて、上面側が導出端部分９から離れる向きに自由状態で突出しており、係合片１２は、これ自体が弾性変形することでスルーホール１３にこれの上方から圧入可能であり、スルーホール１３に導出端部分９を完全に圧入した状態において、係合片１２の上端が、図１に示すごとくスルーホール１３の下端の開口周縁に受け止められるようにすることができる（請求項７）。この係合片１２も、回路基板５に電池本体２を安定的に支持することに貢献する。
【００１８】
請求項７において、前記導出端部分９の幅方向の左右に、接触片１１を上下縦長に形成したうえで、導出端部分９には、両接触片１１・１１間の下方に上下縦長の前記係合片１２を形成することができる（請求項８）。
【００１９】
尤も、本発明においては、図５および図６に示すごとく端子板７の導出端部分９の下端に、係合片１２を上方に向けて折り返し形成し、スルーホール１３に導出端部分９を完全に圧入した状態において、係合片１２の上端が、スルーホール１３の下端の開口周縁に受け止められるようにしてもよい（請求項９）。
【００２０】
先の請求項７または請求項９において、スルーホール１３の下端の開口周縁には、導電部６を張り出し形成し、この導電部６の張り出し部分６ｃに、係合片１２の上端が受け止められるようにすることができる（請求項１０）。これによれば、導出端部分９と導電部６との導通性がより確実になる。
【００２１】
導出端部分９には、図２に示すごとく、これの前後厚み方向の一方に接触片１１が、他方に係合片１２がそれぞれ突出している（請求項１１）。これによれば、接触片１１の弾性復元力で導出端部分９が押されるので、係合片１２の上端がスルーホール１３の下端の開口周縁に確実に受け止められた状態によく維持されることになる。
【００２２】
更に、導出端部分９の左右幅方向の両端には、図３に示すごとくスルーホール１３の上端の開口周縁に受け止められるストッパー縁１４・１４が形成されている（請求項１２）。これによれば、ストッパー縁１４・１４がスルーホール１３の上端の開口周縁に受け止められるまで、導出端部分９をスルーホール１３に圧入すればよく、スルーホール１３に対して導出端部分９を常に過不足なく差し込むことができる。そのうえで、ストッパー縁１４・１４は、回路基板５に電池本体２を安定的に支持することにも貢献する。
【００２３】
接触片１１は、図７および図８に示すごとく、導出端部分９の前後厚み方向の一方に打ち出し形成されて前後厚み方向に弾性変形可能な中央のばね板部１５と、中央のばね板部１５の左右幅方向の両外側において導出端部分９の前後厚み方向の他方に打ち出し形成されて前後厚み方向に弾性変形可能な左右のばね板部１６・１６とを含む形態にすることができる（請求項１３）。
【００２４】
更に図７および図８に示すごとく、端子板７の導出端部分９は、左右幅方向の中央に配された前記接触片１１と、該接触片１１の左右幅方向の両外側に配された係合片１２・１２とを含み、各係合片１２が左右幅方向に弾性変形可能であり、各係合片１２が、スルーホール１３に弾性変形を受けた状態で差し込まれ、各係合片１２がこれ自体の弾性復元力でスルーホール１３に対して上下方向へは抜け止め状に係合するようにしてもよい（請求項１４）。
【００２５】
請求項１４の各係合片１２が、スルーホール１３に臨む前記導電部６に接触していると（請求項１５）、導出端部分９と導電部６との導通性を更に確実に確保できることになる。
【００２６】
その各係合片１２は、下方に向けて片持ち状に連出されており、各係合片１２の下端に、図７（ｂ）に示すごとくスルーホール１３の下端の開口周縁に引っ掛かる係止部２２を形成することができる（請求項１６）。これによれば、スルーホール１３に差し込んだ導出端部分９が上方に抜き外れるのをよく防止できる。
【００２７】
また、本発明は、図９および図１０に示すごとく、電池本体２と、該電池本体２を回路基板５の導電部６ａ・６ｂに電気的に接続するための二つの端子板７ａ・７ｂとからなり、一方の端子板７ｂの導出端部分９が回路基板５に対して電池本体２を固定する端子板付き電池であって、一方の端子板７ｂの導出端部分９が、回路基板５をその表裏両面側から挟持する挟持部３４・３５を備えており、一方の挟持部３４に、回路基板５の導電部６ｂと接触する接触部が設けられていることを特徴とする（請求項１７）。
【００２８】
そのうえで、前記導出端部分９の他方の挟持部３５には、図９および図１０に示すごとく、回路基板５に係合することにより、回路基板５に対する電池本体２の位置決めを図る係合部３７が設けられている（請求項１８）。
【００２９】
また、本発明は、図１１および図１２に示すごとく、電池本体２と、該電池本体２を回路基板５の導電部６ａ・６ｂに電気的に接続するための端子板７ａ・７ｂとからなる端子板付き電池であって、前記端子板７ａ・７ｂは、前記回路基板５の導電部６ａ・６ｂと接触して導電接続される接触部４２・４４を有し、前記接触部４２・４４には、貫通孔４３・４５または切り欠きが設けられており、前記貫通孔４３・４５または切り欠きに挿通されるリベット４０・４０により、前記回路基板５に前記端子板７ａ・７ｂが固定されていることを特徴とする（請求項１９）。
【００３０】
【発明の実施の形態】
（第１実施例）  図１ないし図４は本発明の第１実施例を示しており、扁平な電池１としてコイン形リチウム電池を用いた。電池１は、ひとつの電池本体２に二つの端子板７・７を備えている。各端子板７・７の基端部は、電池本体２の上下の正負極にそれぞれ溶接固定されている。
【００３１】
電池本体２は、上面に開口部を有する有底筒状の電池ケース３と、この開口部を密閉状に封する蓋部４とからなり、電池ケース３を正極とし、蓋部４を負極としている。
【００３２】
端子板７・７は、回路基板５に設けられた２か所の導電部６・６と、電池本体２の上下の正負極との間を電気的に接続するとともに、この電池本体２を回路基板５に対して遊動不能に固定保持する機能を持つ。電池本体２は回路基板５上に両端子板７・７を介して僅かに浮き離れた状態で配置する。
【００３３】
各端子板７は、電池本体２の上下面の負極と正極とにそれぞれ溶接固定されて前後の水平方向に延びる水平腕８と、この水平腕８の延出端から下向きに折り曲げられた導出端部分９とが一体に形成された側面視で略Ｌ字形のプレス成形品である。なお、電池本体２の正極につながる端子板７は、水平腕８の延出端を上方にいったん持ち上げたのち、水平腕８の延出端に下向きの導出端部分９がつながっている。
【００３４】
各端子板７の導出端部分９には、幅方向の左右に一対の接触片１１・１１が導出端部分９の前後厚み方向に突出するよう弾性変形可能に打ち出し形成されている。
【００３５】
各接触片１１は所定の左右幅を有する上下縦長に形成されており、上下端が導出端部分９に両持ち梁状につながっている。とくに、接触片１１の下端部には、上がり傾斜のガイド部１１ａが曲げ形成されており、接触片１１の上端部１１ｂも下り傾斜状に曲げ形成されている。
【００３６】
更に、各端子板７の導出端部分９には、左右の接触片１１・１１間の下方に弾性変形可能な係合片１２が導出端部分９の前後厚み方向に突出するよう上向きに切り起こし形成されている。
【００３７】
この係合片１２は左右小幅で上下縦長に形成されており、これの下端が導出端部分９に片持ち状につながっている。係合片１２は、下端部１２ａが斜め上方に立ち上がる形状に形成され、上端部１２ｂが真っ直ぐ上向きの垂直状に形成されている。
【００３８】
接触片１１と係合片１２とは、接触片１１が前後厚み方向の一方に突出するとき、係合片１２が導出端部分９の他方に突出する関係にある。
【００３９】
回路基板５の導電部６にはスルーホール１３が上下貫通状に設けられている。すなわち、スルーホール１３の内周面が導電部６になっている。スルーホール１３の上下端の開口周縁には導電部６が張り出し形成されている。符号６ｃは、この導電部６の張り出し部分である。スルーホール１３は、平面視で左右方向に長く、前後方向に短い略四角形状を呈している。
【００４０】
次に、回路基板５に対する端子板付き電池１の装着要領を説明すると、電池本体２に一体化された各端子板７の導出端部分９を回路基板５のスルーホール１３にこれの上方から圧入する。このとき、接触片１１は傾斜状の下端ガイド部１１ａでスルーホール１３内にスムーズに嵌合案内され、係合片１２も傾斜下端部１２ａでスルーホール１３内にスムーズに嵌合案内される。そして、接触片１１および係合片１２は、スルーホール１３内の前後の導電部６の内面に接してそれぞれ導出端部分９側に弾性変形する。
【００４１】
導出端部分９の左右幅方向の両端には、スルーホール１３に対する導出端部分９の差し込み限界を規制するストッパー縁１４・１４が段付き状に形成されている。従って、導出端部分９はスルーホール１３に対してこれの上端の開口周縁にストッパー縁１４・１４が受け止められるまで完全に圧入することになる。
【００４２】
スルーホール１３に導出端部分９を完全に圧入すると、係合片１２の上端がスルーホール１３の下方に出て元の突出状態に弾性復元し、係合片１２の上端がスルーホール１３の下端の開口周縁に受け止められる。
【００４３】
スルーホール１３の下端の開口周縁には、導電部６の張り出し部分６ｃが形成されているので、係合片１２の上端は導電部６の張り出し部分６ｃで受け止められることになる。これにて、導出端部分９がスルーホール１３の上方へ抜け出ることが規制される。
【００４４】
スルーホール１３に導出端部分９を圧入した状態において、左右一対の各接触片１１は、弾性変形を受けているので、その弾性復元力で接触片１１の上下端部１１ａ・１１ｂ間の中間平坦部分１１ｃがスルーホール１３内に臨む導電部６に対して全面的に圧接する。
【００４５】
とくに接触片１１は、これの上下端が導出端部分９につながる両持ち梁状に形成されているので、スルーホール１３内の導電部６に対する接触片１１の上記圧接力は強力になる。したがって、この圧接力のみにてもスルーホール１３に対して導出端部分９をガタつきなく、かつ不用意に上下方向へは位置ずれすることなく確実に保持固定できる。そのうえで、各端子板７の導出端部分９は、回路基板５の導電部６に対して接触片１１・１１で電気的に導通状態となる。ストッパー縁１４・１４および係合片１２の上端も導通状態を補助する。
【００４６】
回路基板５から端子板付き電池１を離脱させる必要があるときは、係合片１２の上端を指先などでつかんで端子板７の導出端部分９に向かって撓み変形させることにより、係合片１２の上端をスルーホール１３内に導き、そのまま導出端部分９を引き上げればよい。
【００４７】
（第２実施例）  図５および図６は請求項９に対応する本発明の第２実施例を示す。この第２実施例では、左右の接触片１１が端子板７の導出端部分９から切り起こし形成されている。すなわち各接触片１１は下端が導出端部分９に片持ち状につながっていて、上端側が導出端部分９から離れる向きに突出している。これによれば、スルーホール１３にこれの上方から導出端部分９を圧入したとき、接触片１１が導出端部分９側に弾性変形し、その弾性復元力で接触片１１の上端部分がスルーホール１３に臨む前後の導電部６に圧接する。
【００４８】
また、各端子板７の導出端部分９の下端には、左右の両接触片１１・１１間において係合片１２が上向きに折り返し形成されている。これによれば、スルーホール１３に導出端部分９を完全に圧入した状態において、係合片１２の上端が、スルーホール１３から抜け出て、これの下端の開口周縁（導電部６の張り出し部分６ｃ）に受け止められる。この状態は係合片１２の反対側に突出する接触片１１の弾発作用で維持される。
【００４９】
第２実施例のその他の点は、先の第１実施例と実質的に同じであるから、同一部材には同一符号を付して説明を省略する。第２実施例での係合片１２は弾性変形することを要しないが、係合片１２を断面Ｖ字状に折り曲げ形成し、係合片１２が第１実施例と同様に前後方向へ弾性変形するようにしてもよい。
【００５０】
端子板７の導出端部分９に左右一対の接触片１１・１１が設けられていると、回路基板５に対して導出端部分９、ひいては電池本体２をガタつくことなくバランスをとって支持固定するに有利である。しかし、本発明はこの実施形式に限られず、スルーホール１３内の導電部６に接触する接触片１１は１個でも３個以上であってもよい。
【００５１】
導出端部分９には、接触片１１が片持ち状にほぼ水平姿勢で折り曲げ連出されており、この接触片１１がスルーホール１３の上端開口周縁に設けた導電部６にばね性をもって弾性接触し、これのみにて導出端部分９と導電部６との導通性を図る形態でもよい。
【００５２】
本発明の係合片１２は、導出端部分９の左右幅方向の両端に設けられていてもよい。その場合は、左右の係合片１２・１２間に前記接触片１１が存在する形態を採ることができる。
【００５３】
（第３実施例）  図７および図８は本発明の第３実施例を示す。図７（ａ）は、コイン形リチウム電池１の側面図、図７（ｂ）は、図７（ａ）のＣ−Ｃ縦断面図、図８は図７（ｂ）のＤ−Ｄ線断面図である。コイン形リチウム電池１は、電池本体２と、この電池本体２の正負極に溶接固定された端子板７・７とからなる。電池本体２は、上面に開口部を有する有底筒状の電池ケース３と、この開口部を密閉状に封する蓋部４とからなり、電池ケース３を正極とし、蓋部４を負極とする。
【００５４】
端子板７・７は、回路基板５に設けられた導電部６と電池本体２の正負極を電気的に接続するとともに、この電池本体２を回路基板５に対して遊動不能に固定保持する。各端子板７は、電池本体２の上下面に溶接固定されて前後水平方向に伸びる水平腕８と、水平腕８の遊端から下向きに折り曲げられた導出端部分９とが一体に形成された、側面視で略Ｌ字形のプレス成形品である。
【００５５】
図７および図８に示すように、導出端部分９は、水平腕８の折り返し部分から下方向に向かって片持ち状に連出される中央の接触片１１と、この接触片１１を挟むように下方向に向かって片持ち状に連出されて左右方向に弾性変形可能な一対の係合片１２・１２とからなる。そして、接触片１１および係合片１２が、回路基板５に設けられたスルーホール１３に差し込み装着されることにより、導出端部分９は、スルーホール１３の内壁面に形成された導電部６に接触して、導電部６と電池本体２の正負極を電気的に接続するとともに、回路基板５に抜け止め状に保持されて、電池本体２を遊動不能に固定保持する。
【００５６】
図８に示すように、スルーホール１３は、平面視で左右方向に長く、前後方向に短い略四角形状を呈しており、その内周面は上下の開口寸法が同一寸法のストレート状に形成されている。スルーホール１３の内周面の全面には、導電部６が形成されている。
【００５７】
図７および図８に示すごとく、接触片１１は、電池本体２側、すなわち後方向に膨出状に成形されて、前後方向に弾性変形可能な中央のばね板部１５と、前方向に膨出状に成形されて、前後方向に弾性変形可能な左右のばね板部１６・１６とからなる。これらのばね板部１５・１６は、上側の連出基端部１７と下側の連出端部１８との間で両持ち状に支持されている。ばね板部１５・１６の前後方向の対向間隔寸法は、スルーホール１３の前後方向の開口寸法よりも僅かに大きく設定されており、スルーホール１３内に差し込み装着されたとき、ばね板部１５・１６はスルーホール１３の前後壁に押圧状に接触する。
【００５８】
係合片１２は、上端部から下方向に向かって連出される基端部２０と、基端部２０の左右の外壁面が肉盗みされてなる薄肉部２１と、薄肉部２１の連出端に一体に設けられて左右外方向に突出する係合部２２とからなる。係合部２２の左右の外壁面は、上広がりのテーパー状のガイド面２３となっている。これら係合片１２・１２は、接触片１１の連出基端部１７の左右外側の離れた位置から延びており、係合片１２・１２の左右の内面とこれに対向する接触片１１の外面との間に、係合片１２・１２が接触片１１の方向へ弾性変形することを許す変形隙間Ｇが確保されている。すなわち、係合片１２と接触片１１とは僅かな隙間を介して近接対向しており、係合片１２は接触片１１と分離独立して左右方向に弾性変形できる。
【００５９】
図７（ｂ）に示すごとく、薄肉部２１の左右の外壁面どうしの間隔寸法は、スルーホール１３を形成する左右の内壁面の対向間隔寸法と略同等に設定されている。従って、係合部２２は、それの左右方向の薄肉部２１と比較した厚み分だけ、スルーホール１３の内壁面よりも左右外側に突出する。基端部２０と係合部２２との上下間隔寸法、すなわち薄肉部２１の上下寸法は、スルーホール１３の周縁における回路基板５の厚み寸法と略同等に設定されている。
【００６０】
端子板付き電池１の装着要領を説明する。まず、係合部２２のガイド面２３をスルーホール１３の左右内壁の上端に当接させながら、係合片１２をスルーホール１３内に差し込んでいくと、係合片１２はいったん変形隙間Ｇ方向に弾性変形する。そして、スルーホール１３に導出端部分９を完全に差し込み装着された図７（ｂ）の状態において、係合片１２の弾性復元力で係合部２２がスルーホール１３から左右方向に突出して、係合部２２がスルーホール１３の下端周縁に係る回路基板５に係合する。この係合部２２とスルーホール１３の下端周縁の回路基板５との係合により、スルーホール１３から端子板７が不用意に抜け出るのを阻止できる。すなわち、係合片１２がスルーホール１３の周縁に係る回路基板５に引っ掛かることにより、端子板７の上方への抜け止めが図られる。
【００６１】
また、係合片１２をスルーホール１３内に装着したとき、端子板７は薄肉部２１の上下長さの範囲内で上下方向の移動が規制される。具体的には、基端部２０の薄肉部２１との段差部分が、スルーホール１３の上端周縁の回路基板５で受け止められ、これにて端子板７は下方へ沈み込むことなくスルーホール１３内で確実に装着できる。また、係合部２２がスルーホール１３の下端周縁の回路基板５に係合していることで上方への抜け止めが図られている。かくして、端子板７が外部衝撃を受けてスルーホール１３から不用意に抜け外れたり、位置ズレしたりすることを確実に阻止できる。薄肉部２１の左右外側面が、スルーホール１３の左右方向の内壁面と当接することで、端子板７が左右方向に位置ズレすることもない。
【００６２】
加えて、係合片１２はこれ自体が弾性変形できるようにしてあるので、係合部２２をスルーホール１３内に先入れしたのちも、端子板７をスルーホール１３内に押し込むことにより、係合部２２はスルーホール１３の左右側面を滑り移動しながらスルーホール１３に貫通状に係合できる。従って、スルーホール１３に対する端子板付き電池１の装着作業が容易に行え、必要に応じて逆の手順で端子板付き電池１を簡単に取り外すことができる。すなわち、端子板付き電池１を回路基板５から離脱させる場合には、係合片１２の係合部２２を指先でつかんで、接触片１１の方向に撓み変形させて、該係合部２２の回路基板５に対する係合を解除してから、端子板７を上方向に持ち上げればよい。
【００６３】
また、スルーホール１３に端子板７を差し込んでいくと、接触片１１を構成するばね板部１５・１６が、その前後方向の対向間隔寸法が小さくなるように弾性変形する。そして、スルーホール１３に導出端部分９を完全に差し込み装着した図７（ａ）および図８の状態において、接触片１１は、ばね板部１５・１６の弾性復元力でスルーホール１３の前後方向の内壁面に押圧状に係合する。このばね板部１５・１６とスルーホール１３の内壁面との押圧係合により、端子板７と導電部６との電気的な導通が確保され、同時に前後方向の位置ズレを阻止できる。
【００６４】
（第４実施例）  図９および図１０は本発明に係る端子板付き電池の第４実施例を示す。この場合の端子板付き電池１は、電池本体２と、電池本体２の上面に溶接固定された負極端子板７ａと、電池本体２の下面に溶接固定された正極端子板７ｂとからなり、回路基板５の周縁に実装・固定される。
【００６５】
負極端子板７ａは、後方向に延びる水平腕３０と、水平腕３０の遊端に逆へ字状に折り曲げ形成されて回路基板５の導電部６ａに接する接触部３１とが一体に成形されたプレス成形品であり、水平腕３０の基端部が電池本体２の上面に溶接固定される。接触部３１の導電部６ａに対する接触部分は平坦面とされている。
【００６６】
図１０において正極端子板７ｂは、電池本体２の下面を受けるベース壁３２と、ベース壁３２の後端左右から上方側へ折り起こした左右一対の支持腕３３・３３と、各支持腕３３の上端に連続して斜め下向きに折り曲げられた上係合腕３４と、ベース壁３２の後端中央から後方向に連出された下係合腕３５と、下係合腕３５の遊端から斜め下向きに折り曲げられた解除片３６とが一体に成形されたプレス成形品であり、ベース壁３２の上面に電池本体２を溶接固定してある。下係合腕３５の上面には、固定用の突起（係合部）３７が切り起こし形成されている。支持腕３３の左右の対向間隔寸法は、負極端子板７ａの左右幅寸法よりも大きく設定されており、上下の係合腕３４・３５の対向間隔寸法は、回路基板５の厚み寸法よりも僅かに小さく設定されている。上下の係合腕３４・３５は、上下方向に僅かに弾性変形可能であり、これら係合腕３４・３５で本発明における導出端部分および挟持部を構成する。
【００６７】
図９（ａ）・（ｂ）において、符号１３は、回路基板５の周縁近傍に形成された略四角形状のスルーホールを示す。このスルーホール１３と回路基板５の周縁との間における回路基板５の上面には、負極用の導電部６ａを設けてあり、この負極用の導電部６ａの左右両側には、正極用の導電部６ｂを設けてある。すなわち、回路基板５の上面には、左右方向に並列状に、正負極用の導電部６ａ・６ｂを形成してある。スルーホール１３の左右の幅寸法は、先の突起３７のそれよりも僅かに大きく設定されている。
【００６８】
以上のような構成からなる端子板付き電池１においては、正極端子板７ｂの上下の係合腕３４・３５の間に回路基板５を差し込むことで、回路基板５に対する電池１の実装がなされる。つまり、上下の係合腕３４・３５でクリップ状に回路基板５を上下方向から挟持することで、回路基板５に対する電池１の実装がなされる。このとき、係合腕３４・３５の弾性力により電池１が回路基板に対して固定されるとともに、導電部６ｂに上係合腕３４が接触して、電池本体２の正極と回路基板５との導電接続がなされる。同時に下係合腕３５に設けられた固定用の突起３７が、回路基板５に設けられたスルーホール１３に入り込み、これで電池１は回路基板５に抜け止め状に係合保持される。一方、導電部６ａに、負極端子板７ａの接触部３１が接触することにより、電池本体２の負極と回路基板５との導電接続がなされる。
【００６９】
端子板付き電池１を回路基板５から離脱させる場合には、下係合腕３５の解除片３６を指先でつかんで、下係合腕３５を下方向に撓み変形させて、突起３７のスルーホール１３に対する係合を解除してから、電池１を前方向に引き出せばよい。
【００７０】
（第５実施例）  図１１および図１２は本発明に係る端子板付き電池の第５実施例を示す。ここでの端子板付き電池１は、電池本体２と、電池本体２の上面に溶接固定された負極端子板７ａと、電池本体２の下面に溶接固定された正極端子板７ｂとからなり、リベット４０・４０を用いて回路基板５に対して固定・実装される。
【００７１】
負極端子板７ａは、電池本体２から外方向に延びる水平部４１と、回路基板５にリベット固定される受板（接触部）４２とを階段状に折り曲げたプレス成形品であり、受板４２の板面中央にリベット４０用の貫通孔４３が形成されている。正極端子板７ｂは、長尺平板状の金属板であり、遊端部（接触部）４４の中央にリベット４０用の貫通孔４５が形成されている。
【００７２】
回路基板５には、電池本体２を収容する電池室４６を貫通状に設けてあり、電池室４６の周縁にかかる回路基板５の正負極端子板７ａ・７ｂとの対向壁面に、導電部６ａ・６ｂが埋設状に形成されている。各導電部６ａ・６ｂおよびそれに対応する回路基板５には、リベット４０用の貫通孔４７が形成されている。
【００７３】
端子板付きの電池１を回路基板に実装・固定する場合には、まず、電池室４６内に正極端子板７ｂを挿入し、電池１を回路基板５に仮り組みする。次に、端子板７ａ・７ｂおよび導電部６ａ・６ｂの貫通孔４３・４５・４７を位置合わせしてから、これら貫通孔４３・４５・４７にリベット４０を挿通し、最後に貫通孔４３・４４から突出しているリベット４０の先端部を扁平に変形させて、端子板７ａ・７ｂを回路基板５にかしめ固定する。このとき、回路基板５に形成された導電部６ａ・６ｂと端子板７ａ・７ｂの受板４２および遊端部４４とがそれぞれ接触して、電池本体２と回路基板５との導電接続がなされる。
【００７４】
上記実施例においては、正極端子板および負極端子板のどちらも本発明の端子板構成を有するものであるが、一方の端子板のみ上記構成とするのでもよく、また、電池の配置も例示のものに限定されない。
【００７５】
本発明において、端子板の材質は、特に限定されるものではなく、鉄、銅、ニッケル、アルミニウム、チタンなどの金属材料やその合金（ステンレス鋼、真鍮など）、あるいは前記部材のクラッド板などのように複数の材質が複合化されたものなどを挙げることができる。さらに、前記部材の表面にニッケルメッキ、錫メッキ、ハンダメッキ、銅メッキ、金メッキなどのメッキを施したものであってもよい。ただし、電池の外装缶に端子板が溶接により取り付けられる場合は、外装缶との溶接性を考慮して端子板の材質を選択するのが望ましく、外装缶がステンレス鋼である場合は、端子板の材質はステンレス鋼あるいはニッケルであるのが好ましく、外装缶がアルミニウムあるいはその合金である場合は、端子板の材質もアルミニウムあるいはその合金を選択するのが好ましい。
【００７６】
【発明の効果】
以上みたとおり、本発明の端子板付き電池によれば、電池を電子機器の回路基板へ実装するにあたり、ハンダ付け処理をしなくても、電池本体の回路基板への取り付けが可能になる。とくに回路基板のスルーホールに端子板の導出端部分を圧入するだけで、回路基板に電池本体を導通状態に接続できるとともに、簡単かつ確実に支持固定できる。
【図面の簡単な説明】
【図１】本発明に係る端子板付き電池の第１実施例を示す縦断側面図
【図２】第１実施例の端子板を示す斜視図
【図３】図１におけるＡ−Ａ線断面図
【図４】図３におけるＢ−Ｂ線断面図
【図５】本発明に係る端子板付き電池の第２実施例を示す側面図
【図６】第２実施例の端子板を示す斜視図
【図７】本発明に係る端子板付き電池の第３実施例を示しており、図７（ａ）は縦断側面図、図７（ｂ）は図７（ａ）におけるＣ−Ｃ縦断面図
【図８】図７（ｂ）におけるＤ−Ｄ線断面図
【図９】本発明に係る端子板付き電池の第４実施例を示しており、図９（ａ）は側面図、図９（ｂ）は要部の平面図
【図１０】第４実施例の分解斜視図
【図１１】本発明に係る端子板付き電池の第５実施例を示す側面図
【図１２】第５実施例の分解斜視図
【符号の説明】
１  端子板付き電池
２  電池本体
５  回路基板
６  導電部
７  端子板
８  水平腕
９  導出端部分
１１  接触片
１２  係合片
１３  スルーホール
【図１】
2004319423.tif 000003
【図２】
2004319423.tif 000004
【図３】
2004319423.tif 000005
【図４】
2004319423.tif 000006
【図５】
2004319423.tif 000007
【図６】
2004319423.tif 000008
【図７】
2004319423.tif 000009
【図８】
2004319423.tif 000010
【図９】
2004319423.tif 000011
【図１０】
2004319423.tif 000012
【図１１】
2004319423.tif 000013
【図１２】
2004319423.tif 000014